Podtech/llm-jp-corpus-v4-ja_patent huggingface dataset:
(57)【要約】【課題】  箱に無造作に入れられたコインを簡単に起立させる、コイン起立具を提供する。【解決手段】  コイン起立具は、コインに力が加わりやすく、コイン間の隙間にコイン起立具の先端が入りやすいように先端が丸みをもった複数の山形形状１となっていることと持ちやすいように指かけ部２を付けたことを特徴とする。【選択図】図１
0003128560.tif 000002
【実用新案登録請求の範囲】
【請求項１】
箱に無造作に入れられたスロットマシーンのコインに力を加えることで、コインを起立させるためのコイン起立具であって、箱に無造作に入れられたコインに対し、力が加わりやすく、コイン間の隙間に先端が入りやすいように、先端が丸みをもった複数の山形形状１を特徴とするコイン起立具。
【請求項２】
持ちやすいように、指かけ部２を付けたことを特徴とする、請求項１記載のコイン起立具。
【考案の詳細な説明】
【技術分野】
【０００１】  本考案は、箱に入れられたコインに力を加え、コインを起立させるためのコイン起立具に関するものである。
【背景技術】
【０００２】  従来、スロットマシーンから払出されたコインは、その下部に設けられたコイン払出し受け皿に貯留されるが、貯留された受け皿のコインが多くなると、コインを受け皿から別に用意された箱に移し替える。【０００３】  このコインを入れる箱には、色々な大きさと形状の箱があり、箱の内部がコインの起立を補助する形状となった箱もある。
【考案の開示】
【考案が解決しようとする課題】
【０００４】  箱に無造作にコインを入れると、コインの向きが乱立しコイン間に多くの隙間ができるため、コインを起立して箱に入れたときに比べ、箱に収納できるコインの枚数が少なくなってしまう欠点があった。【０００５】  また、箱の上縁近くまで無造作にコインを入れると、箱を持っとき傾斜に注意しなければコインが横滑りをし、床にコインを落としてしまう欠点があった。【０００６】  しかしながら、箱の中でコインを起立させるには、コインを箱に入れ始めるときから、箱の底部より順にコインを手で起立させ、起立終えたコインを指で押さえるなど慎重に行わないとコインが倒れることが多く、時間がかかり面倒な欠点があった。【０００７】  また、箱の大きさや形状によってはコインを起立させることが困難となる欠点があった。
本考案は、以上のような欠点をなくすためになされたものである。
【課題を解決するための手段】
【０００８】  箱に無造作に入れられたコインに対し、力が加わりやすくコイン間の隙間にコイン起立具の先端が入りやすいように、先端が丸みをもった複数の山形形状１となったことを特長とするコイン起立具である。【０００９】  更に、このコイン起立具に持ちやすいように、指かけ部２を付けたことを特徴とするコイン起立具である。
コイン起立具を使い、箱に入れられたコインを起立させることで上記課題を解決するものである。
【考案の効果】
【００１０】  箱に無造作に入れられたコインに対し、コイン起立具を抜き差しするように上下に動かすことで、コインはコイン起立具に沿い、箱の底部方向に押し込まれコインが起立する。この動きを繰り返すほど多くのコインが起立するので、コイン間の隙間が少なくなり、箱に無造作にコインを入れた状態に比べ、多くのコインを収納することができる。【００１１】  起立したコインが多くなると、コイン同士が起立状態で噛みあい安定するため、箱を持ったとき箱が傾斜しても横滑りが起こらず、コインを床に落とすことが少ない。【００１２】  また、従来のように箱の底部から順にコインを起立させる必要はなく、無造作にコインを箱に入れ、そのコインに対しコイン起立具を抜き差しするように上下に動かすことでコインが簡単に起立し、起立終えたコインが倒れることがあっても、そのまま同じ動きを繰り返すことで再びコインが起立するので、時間もかからず面倒な動作を必要としない。【００１３】  加えて、箱の大きさや形状に関係なくコインを起立させることができる。【００１４】  このように、コイン起立具を動かすことで、容易にコインが起立して行く過程を楽しむことができる。【００１５】  更に、箱にコインが入っている場合は、コイン起立具をコインに差し込み立てておくことで、コインが箱に入っていることを周知させることができる。
【考案を実施するための最良の形態】
【００１６】  コイン起立具は箱に無造作に入れられたコインに対し、力が加わりやすく、コイン間の隙間に先端が入りやすいように、先端を丸みのもった複数の山形形状１と、持ちやすいように指かけ部２を付けたものとする。
以上のような構造で、スロットマシーンを設置している店で使用し、箱に収納できるコインの枚数を増やすことで、使用する箱数を減らすと共に、コインが箱に入っていることを周知させる。
また、箱にコインを安定した状態で収納することで、コインの横滑りを防止し箱を持ち運びするときの安全性と作業効率を向上させる。
更に、客はコインの枚数を把握しやすく、簡単にコインを起立させることのできる楽しみを持つことができる。
【図面の簡単な説明】
【００１７】
【図１】本考案のコイン起立具の正面図である。
【図２】本考案のコイン起立具の側面図である。
【符号の説明】
【００１８】    １  コイン起立具の先端の山形形状部
２  コイン起立具の指かけ部
【図１】
0003128560.tif 000003
【図２】
0003128560.tif 000004
(57)【要約】      （修正有）【課題】定期交換を行わず長年使用した冷却水には、錆、油などの異物が混入し茶色に濁り、各冷却循環路の詰まり、洩れ、磨耗などの故障原因になる為、これらを除去してやらなければならないが、時間・経費・環境汚染などの課題がある。【解決手段】本装置は縦置きとし、コック▲Ａ▼より濁った冷却水が入る。油分は上へ浮いてオイル吸着マット１６で吸着し、錆などの異物は、フィルター１８、フィルター１９で浄化する。金属製微粒物質は、永久磁石４と一体となるフィルターガイド５で吸着する。浄化された冷却水は、コック▲Ｂ▼よりエンジンなどに戻される。内部フィルター類の清掃はまず、コックＡ・Ｂを閉め、上蓋８を外し、フィルターガイド１１を上へ取り出すことにより短時間で行える。【選択図】図３
0003128280.tif 000002
【実用新案登録請求の範囲】
【請求項１】
水冷エンジン冷却水の浄化装置であって、上蓋を有する円柱形状のハウジングケースと、その上側部及び底部に開閉コックを取り付けて、ケース内部に設けられたオイル吸着マット、ステンレス網、ウールフィルター、ウレタンフィルター、永久磁石と一体となるフィルターガイドからなり、冷却水循環流路配管の適所にホースにて接続され、上部入り口コックより濁った冷却水が流入し、浄化吸着されて、サビ、油、微粒性金属粉等の異物が取り除かれた冷却水が、前記ハウジングケースの出口コックより、循環流路に排出されることを特徴とする水冷エンジン冷却水の浄化装置。
【請求項２】
ハウジングケース内部のフィルターガイドは、上蓋を取り外すことにより、上部へ、フィルター類と一体で取り出せる構造である請求項１記載の水冷エンジン冷却水の浄化装置。
【考案の詳細な説明】
【技術分野】
【０００１】本考案は水冷エンジンの冷却水の浄化装置に係わるものである。【０００２】従来水冷式エンジンのほとんどが、冷却水を浄化する装置などは備えておらず、定期的な交換が必要であるが、大型トラックやバスなどは長年実施されないことが多く、エンジンなどに悪影響を及ぼす。【０００３】従って水冷エンジン冷却系の故障原因の多くが錆などの異物によるものである。【０００４】しかし定期的な交換は、時間や経費の負担が多く、長期間の使用が一般的であり、使用中冷却水に錆などの異物、ヘッドガスケットや０リングの劣化等による微量のエンジンオイル等が混入し、茶色に濁り、冷却循環系の詰まり・付着・腐食や磨耗による洩れなど各部故障の原因ともなる。【０００５】また冷却水に用いる３０％濃度前後のＬＬＣは、有害なエチレングリコールが主成分で、そのまま廃棄すると環境汚染などの問題が発生する。【０００６】これらの対策として冷却水流路に浄化装置を配設し、浄化再生し、異物を除去することを目的とする。
【課題を解決するための手段】
【０００７】上記目的を達成するため、冷却水流路の一部に直接または分水流路を形成して、接続ホースにて本装置と接続し、冷却水を浄化再生することにした。
【０００８】冷却循環系の異物は、高温・高回転・高水流時が一番多く浮遊して循環している。
【０００９】従って上記条件での浄化が最も効率がよく行える為、本装置を搭載式とした。
【００１０】また本装置内部フィルターの分解清掃を短時間で容易に行えるよう、上蓋をハンドル付ボルトで締付け式として、フィルターガイドを上に取り出せる構造とし、フィルターを一体で取り出す。
【００１１】同じく分解清掃時エンジンなどから冷却水の流入がある為、入り口と出口に開閉コックを設け、冷却水の漏洩を防ぐ。
【００１２】本装置は冷却水量の多い大型バスやトラック、建設機械、船舶など大型エンジンへの使用が望ましく、本装置の容量は冷却水量の１／１５程度が好ましい。
【実施例】
【００１３】本考案装置を、大型バスに搭載した実施例を図面などに示して説明する。
図１は冷却循環系の構成図であり、内径９ｍ／ｍのバイパスホース５はサーモスタットケース４より常にサブタンク３へ冷却水を循環している。【００１４】そこで本装置を図２で示すバイパスホース５の流路に設置することとしたが、ヒーターホース６にも分水流を形成して取り付け可能である。【００１５】図３は本装置の断面図であり構造について説明する。
本体ハウジング部７は円柱形状に形成されている。かかるハウジング部に、上蓋８を耐熱耐油パッキン９で密閉する為、中央部をハンドル付きボルト１０にて押さえる構造にして、フィルター清掃時などに工具なしで、分解作業を容易に行える。【００１６】また本体ハウジング上部側方に冷却水流入口を、下部に出口を設け、双方に開、閉コックＡ・Ｂを取り付け、上記作業中冷却水の流入を防いで漏洩するのを極力減らすようにした。
なお開閉コックの内径は６ｍｍ程度が効果的である。【００１７】次に内部構成についての説明である。１６はオイル吸着マットであり、コックＡより流入した冷却水中に含まれる油分は上へ浮き上がり、オイル吸着マット１６で吸着し、他の異物はまず、ステンレス鋼１７で大きめの異物を濾す、次にポリエステルウールフィルター１８、ウレタンマットフィルター１９にて浄化吸着し、最後に金属製微粒物質を永久磁石１２と一体となるフィルターガイド１１が吸着する。【００１８】図４はフィルターガイド１１の図面である。
フィルターガイド１１にバイパスポートＰを設け、フィルター目詰まり時のバイパス通路とした。このフィルターガイド１１は上部へ持ち上げて取り出せる構造で、上蓋を外せばフィルターと一体で取り出すことができ、分解・清掃・組付け作業が短時間で容易に行うことができる。
【効果】
【００１９】本考案装置を大型バスに搭載した結果、茶色の濁りが数日で消え、１０日目に分解清掃を行い大量の異物を除去しうる優れた効果を発揮した。
１ヶ月後本装置を外し他の車両へ移設可能であり、数台にローテーションできる。
なお分解・清掃・組付作業は３０分以内で可能である。
【００２０】また錆などで濁った冷却水は、洗浄や交換などでは完全に除去できない為、再び濁りが発生する。
本装置は濁りの度合いによって設置期間を調整することで完全に除去することが出来る。
【００２１】本考案は冷却水の浄化はもとより、本体取り付け・分解清掃組付が短時間に効率よく行える他、冷却水も廃棄することなく経済的である。そのうえ環境の保護にも役立ち優れた効果を奉するものである。
【図面の簡単な説明】
【００２２】
【図１】取り付け前の冷却循環系の構成図
【図２】取り付け後の冷却循環系の構成図
【図３】本装置の断面図
【図４】本装置に用いられるフィルターガイドの斜視図
【符号の説明】
【００２３】１．エンジン
２．ラジエター
３．サブタンク
４．サーモスタットケース
５．バイパスホース
６．ヒーターホース
７．本体ハウジング
８．上蓋
９．耐熱・耐油パッキン
１０．上蓋締付けボルト
１１．フィルターガイド
１２．永久磁石
１６．オイル吸着マット
１７．ステンレス網
１８．ポリエステルウールフィルター
１９．ウレタンマットフィルター
Ａ  入り口開閉コック
Ｂ  出口開閉コック
Ｐ  バイパスポート
【図１】
0003128280.tif 000003
【図２】
0003128280.tif 000004
【図３】
0003128280.tif 000005
【図４】
0003128280.tif 000006
(57)【要約】【課題】    転倒防止のため、手摺を安く、簡易な方法で、取付けるようにする。【解決手段】直径９０ｍｍの強力な吸盤を採用した。レバーの梃子を使い吸着盤を引き上げ、引き下ろしさせることで吸着、着脱ができるようにした。【選択図】図１
0003128278.tif 000002
【実用新案登録請求の範囲】
【請求項１】
レバー式吸着盤を柄の両端に配置した簡易手摺
【考案の詳細な説明】
【技術分野】
【０００１】  本考案は、２個の吸着盤とそれを繋ぐ柄からなる簡易手摺に関する。
【背景技術】
【０００２】  浴室内の転倒防止の手摺は、浴槽の縁を両側から挟み込み固定するか工事により手摺を取付ける。
【考案の開示】
【考案が解決しようとする課題】
【０００３】  しかしながら、工事の場合、手摺を取付ける壁面に強度が必要であり、工事費もかかる。  浴槽の縁を挟み込む取付けでは、取付ける場所に制限を受ける。また、シャワーを利用する場合、シャワーの近くに手摺が取付けるが望ましい。
さらに、浴槽の縁を挟み込み固定するものの多くは、ネジ止め式であるため、風呂清掃には、ネジを取外さなければならない。
【課題を解決するための手段】
【０００４】  固定する場所の自由度をあげるため、平面に取付ける吸盤を使用した。
手摺の機能を満たすために、吸着力保持に吸盤の直径を９ｃｍ以上とし、４０Ｋｇｆ（重量キログラム）の引張りにも耐えるようにした。
取付け、取外しを用意にするため、レバーを設け、このレバーが吸着ゴムを押し引きすることで吸着、着脱を可能とした。これにより、上記課題を解決するものである。
【考案を実施するための最良の形態】
【０００５】  ［図１］に示すように本考案の構造である握り柄部分、吸盤部分、吸盤作動レバーを側面から表した。手摺としての機能を持たせるため、柄の部分は、緩やかなカーブを持たせた。
［図２］に示すように本考案を上部方向から見た図である。樹脂を使い軽量化するとともに、一定の強度を保つため柄の内部は、いくつもの補強部を設けた。
［図３］に示すように吸盤部のレバーと吸盤の関係を示す。レバーを倒すことで吸盤部の中心部を取付け面より引き離し、空気密度を低くし本考案を吸着させる。
【考案の効果】
【０００６】  本考案は、平面であれば、取付ける場所の自由度をあげ、浴槽以外の場所
にも取付けることを可能にした。
装着が簡易になったことで手摺の清掃、天日干しもでき衛生的である。
樹脂成型品とすることで軽量化され、外泊の場合にも持参し使用できる。
【図面の簡単な説明】
【０００７】
【図１】本考案の側面から見た考案全体の構造図である。
【図２】本考案の上部斜め方向から見た構造図で、着脱用レバー部を強調した図である。
【図３】吸着部分の構造図である。
【符号の説明】
【０００８】１  手摺柄上部
２  装着レバー
３  手摺柄下部
４  吸盤
５  吸盤押し引き部
６  装着レバー固定ピン
【図１】
0003128278.tif 000003
【図２】
0003128278.tif 000004
【図３】
0003128278.tif 000005
(57)【要約】【課題】  宝石類が環状ブレスレットの中に入れても見える事ができ伸縮性がある事。【解決手段】  透明なシリコンゴムで環状ブレスレットを作り中に宝石を入れる。【選択図】図１
0003128274.tif 000002
【実用新案登録請求の範囲】
【請求項１】
１）透明なシリコンゴムで環状のブレスレットを作る。
２）ブレスレットの中に宝石類などを入れる。
以上の構成からなることを特徴及び形状を有するブレスレット。
【考案の詳細な説明】
【考案の詳細な説明】
【考案が解決しようとする課題】
【０００１】１）プラスチィック製の環状ブレスレットは伸縮性に欠けブレスレットの直径を大きくし    ないと手を通すことができない。
２）他の素材のゴムは透明性に欠ける。
３）環状ブレスレットの中に宝石類を入れたブレスレットが存在しない。
【課題を解決するための手段】
【０００２】  上記の目的を達成するために、透明なシリコンゴムで環状ブレスレットを作り中に宝石類などを入れる。
【考案の効果】
【０００３】  １）シリコンゴムは伸縮性が有り手を通す直径を小さくできる。
２）透明である為に中に入れた宝石類などが見える。
【図面の簡単な説明】
【図１】  環状ブレスレットの上面図である。
【図２】  環状ブレスレットの断面図である。
【図３】  環状ブレスレットの拡大図である。
【符号の説明】
１  透明なシリコンゴムの環状ブレスレット
２  宝石類
【図１】
0003128274.tif 000003
【図２】
0003128274.tif 000004
【図３】
0003128274.tif 000005
【手続補正書】
【提出日】平成18年10月2日(2006.10.2)
【手続補正１】
【補正対象書類名】実用新案登録請求の範囲
【補正対象項目名】全文
【補正方法】変更
【補正の内容】
【実用新案登録請求の範囲】
【請求項１】
１）透明なシリコンゴムで環状のブレスレットを作る。
２）ブレスレットの中に宝石類などを入れる。
以上の構成からなることを特徴とするブレスレット。
(57)【要約】【課題】プリザーブドフラワー及びドライフラワー等のアレンジメントには発泡スチロール、スポンジ、網目材を使用し、スチール線、糸等で結束及び接着剤を使用して作成していた為、ある程度の熟練した技術が必要である。【解決手段】プリザーブドフラワー及びドライフラワーの茎部にマグネットを装着することで発泡スチロール、スポンジ、網目材及びスチール線、糸等での結束及び接着剤を使用せずアレンジメントが可能であり再アレンジも可能である。【選択図】図２
0003128279.tif 000002
【実用新案登録請求の範囲】
【請求項１】
マグネット付フラワー
【請求項２】
花の茎部にマグネットを装着して形成されるプリザーブドフラワー及びドライフラワー
【請求項３】
枝葉の茎部にマグネットを装着して形成されるプリザーブドフラワー及びドライフラワー
【考案の詳細な説明】
【技術分野】
【０００１】
本考案は、主としてプリザーブドフラワー及びドライフラワー等のアレンジメント部品材に関するものである。
【背景技術】
【０００２】
プリザーブドフラワー及びドライフラワーのアレンジメントでは従来からよく知られている技法として、発泡スチロール、スポンジ、網目材に差し込む又はスチール線、糸等で結束して接着剤を使用する技法がある。
【考案の開示】
【考案が解決しようとする課題】
【０００３】
解決しようとする課題は、プリザーブドフラワー及びドライフラワーのアレンジメントにはある程度の熟練した技術が必要である。
【課題を解決するための手段】
【０００４】
本考案では、プリザーブドフラワー及びドライフラワーの茎部にマグネットを装着した。
【考案の効果】
【０００５】
本考案のマグネット付フラワーは、マグネットを装着することにより熟練した技術を必要とせず誰でもアレンジメントが可能になる。
【考案を実施するための最良の形態】
【０００６】
マグネットを装着することにより、従来使用していた発泡スチロール、スポンジ、網目材又は、スチール線、糸、接着剤等を使用せず誰でも自由に花と花、花と葉等のアレンジメントが可能になる。
【実施例】
【０００７】
スチールペーパー内蔵構造物及びスチール製壁面等に対し、花のアレンジメントが可能になる。
【産業上の利用可能性】
【０００８】
結婚披露パーティー等のお祝い会場の壁一面を花でアレンジメント等が可能である。
【図面の簡単な説明】
【０００９】
【図１】花、枝、葉
【図２】花の茎部に図４（イ）マグネット装着図、枝の茎部に図５（ロ）マグネット装着図、葉の茎部に図６（ハ）マグネット装着図
【符号の説明】
【００１０】
Ａ１    花
Ａ２    花
Ｂ１    枝
Ｂ２    枝
Ｃ１    葉
Ｃ２    葉
（イ）    マグネット
（ロ）    マグネット
（ハ）    マグネット
【図１】
0003128279.tif 000003
【図２】
0003128279.tif 000004
(57)【要約】【課題】    本考案は、自転車を輪行する際、従来のロードレーサーやマウンテンバイクなどを容易に組み立てられ、軽く押して運ぶことを可能にする。【解決手段】自転車のフレームに車輪取り付け用の部品を取り付け、それに前後車輪の軸をフレームをはさんだ状態で取り付けられるようにする。【選択図】  図3
0003128283.tif 000002
【実用新案登録請求の範囲】
【請求項１】
金属及び樹脂からなる部品を自転車のフレームに取り付け、それに自転車から外した前後車輪をフレームの左右挟んだ状態で取り付ける、自転車をコンパクトに分解して転がせて運べる輪行器具。
【考案の詳細な説明】
【技術分野】
【０００１】
本考案は自転車の輪行と収納に関する。
【背景技術】
【０００２】
従来自転車を分解して袋に入れて持ち上げて運んでいた。
【考案の開示】
【考案が解決しようとする課題】
【０００３】
分解して袋に入れる際フレームなどにキズがついたり、担いで運ばなければならない為、女性など力の弱い人には運ぶのが困難という欠点があった。
【課題を解決するための手段】
【０００４】
本考案はプレートを自転車のボトルゲージの台座もしくはその他に取り付けておき、そのプレートに車輪取り付け用部品を取り付け、自転車から外した前後車輪をフレームの左右に取り付けることで自立し容易に押して運べ、フレームに車輪などが直接接触せずキズが付きにくい、これにより上記課題を解決するものである。
【考案の効果】
【０００５】
本考案に係る輪行器具は、簡単な作業にて組み立てが出来、自立し、転がせて運ぶことができる。またコンパクトになるため収納性にも優れている。
【考案を実施するための最良の形態】
【０００６】
プレート1をネジなどで自転車のフレームに取り付ける。
次に図2に示すように車輪取り付け用部品2をプレート1にノブねじ3にて取り付ける。  
【０００７】
図3に示すように自転車から車輪を外し車輪取り付け部品2に車輪をフレームをはさんだ状態で取り付ける。
【０００８】
上記工程で左右車輪と前フォークの三点支持になるので自立し、自由に転がすことができる。
【図面の簡単な説明】
【０００９】
【図１】本考案に係る輪行器具の概略図
【図２】本考案に係る輪行器具をフレームに取り付けた状態図
【図３】本考案に係る輪行器具の実施状態を示す図
【符号の説明】
【００１０】
1・・・プレート
2・・・車輪取り付け用部品
3・・・ノブねじ
4・・・ネジ
【図１】
0003128283.tif 000003
【図２】
0003128283.tif 000004
【図３】
0003128283.tif 000005
【手続補正書】
【提出日】平成18年10月26日(2006.10.26)
【手続補正１】
【補正対象書類名】実用新案登録請求の範囲
【補正対象項目名】全文
【補正方法】変更
【補正の内容】
【実用新案登録請求の範囲】
【請求項１】
プレートを自転車に付属のボトルゲージ取り付け台座に取り付け、そのプレートに車輪取り付け用部品をノブねじにてプレートと水平に取り付ける構造を有し、前輪と後輪を自転車から取りはずし車輪取り付け用部品の凹部分に前輪と後輪それぞれの車軸を左右に取り付けることによって車椅子の様に自立し容易に転がせて運べる輪行器具。
(57)【要約】      （修正有）【課題】本考案は、雨降りに露地で、中央部に穴を開けたパラボナ型の容器に雨水を溜める集雨装置を提供する。【解決手段】本考案は雨をパラボナ型の器で、中央部に穴をあけ、上の本体の穴より大きい重り固定リングで抜け落ちないようにし、下の先端部分に下げ紐に重りを下げ、本体の支えを安定させ、下部の容器に雨水を溜める。本考案はまさに大きなロートで集雨器が上で雨水を溜める容器は下で、省スペースになり、また、重りにより簡単に安定し一体化する。【選択図】図１
0003128290.tif 000002
【実用新案登録請求の範囲】
【請求項１】
パラボナ型にした器の中央に穴を開け、下げ紐で重りをさげて、その穴の径より抜け落ちないように大きい重り固定リングをパラボナ型の器と雨水落とし穴を通して、下げ紐でその重りを下げ、本体を重りで安定させ、下の器に雨を流し込む集雨装置。
【考案の詳細な説明】
【技術分野】
【０００１】本考案は、雨降りに露地で、中央部に穴を開けたパラボナ型の容器に雨水を溜める装置である。
【背景技術】
【０００２】家庭菜園などで雨水を溜めるためにバケツや風呂等に波板を傾斜させ雨の受ける面積を広げ流しこんでいたので庭などでは使用しにくい。
【考案の開示】
【考案が解決しようとする課題】
【０００３】水道水は塩素で殺菌され、植物の種類によっては害になり、雨水は植物に有用あることがわかると、雨水を溜めておこうとするが畑の野菜や園芸植物に大事な雨水を集めるのは難しい。風呂や大きなバケツなどに波板（トタン板）に傾斜をつけて集めているが現状ですが、広い場所が必要で効率が悪く、軽便でない。
【課題を解決するための手段】
【０００４】本考案は雨をパラボナ型の器で、中央部に穴をあけ、上の本体の穴より大きい重り固定リングで抜け落ちないようにし、下の先端部分に下げ紐に重りを下げ、本体の支えを安定させ、下部の容器に雨水を溜める。
【考案の効果】
【０００５】本考案はまさに大きなロートで集雨器が上で雨水を溜める容器は下で、省スペースになり、また、重りにより簡単に安定し一体化する。
【考案を実施するための最良の形態】
【０００６】パラポナ型の器の中央部に穴をあけ、重り固定リングと雨水落とし穴を通して安定するように重り下げ紐とをつないで、容器に雨水を流し込むようにする。
【実施例】
【０００７】以下、添付図面に従って一実例を説明する。１はパラボナ型のプラスチック器または傘をひっくりかえしたもの、２は重り下げリングが抜け落ちない大きさ、３は穴で雨水を落とし込むと同時にさげ紐を通す、４は重り固定リングと重りをつなぐ、５は重りで本体が安定するため、６は雨水を溜める容器
【図面の簡単な説明】
【０００８】
【図１】本考案の集雨器の正面図で一部切欠断面図、
【図２】本考案集雨器水平図
【符号の説明】
【０００９】１  集雨器本体
２  重り固定リング
３  雨水落とし穴
４  下げ紐
５  安定重り
６  容器
【図１】
0003128290.tif 000003
【図２】
0003128290.tif 000004
(57)【要約】【課題】本考案はアンテナ基台において使用し、アンテナに高周波ラジアル回路を設けるためのラジアル板に関するものである。【解決手段】  ネジで被取り付け部に固定するクランプ方式のアンテナ取り付け基台の取付け部において、金属など導体製のラジアル板をアンテナ基台の被取付け部とアンテナ基台取付け部の間に挿入して、ラジアル板と被取り付け部を同一の基台取り付けネジによりしめこむことで、アンテナ基台、アンテナ基台取り付けネジ、ラジアル板とつながる高周波回路が形成される。このときのラジアル板がラジアル回路として動作する。また、このときラジアル板とアンテナ基台の被取付け部の間や、ラジアル板と大地の間等が静電結合による結合が行われる。これにより空中線回路におけるラジアル回路が形成される。【選択図】図１
0003128285.tif 000002
【実用新案登録請求の範囲】
【請求項１】
取り付け部がクランプ方式によりネジどめするアンテナ取り付け用のアンテナ基台において、同基台取り付け用固定ネジと被取り付け部の間に導電性の板を挿入し基台固定ネジで同時にネジ止めすることにより、空中線回路にラジアル回路を付加させるラジアル板
【考案の詳細な説明】
【技術分野】
【０００１】
本考案は、アンテナ基台に取り付けて使用するラジアル板に関する。
【背景技術】
【０００２】
クランプ方式の取り付け方法を採用するアンテナ基台を取り付ける場合において、同基台と被取り付け部の間に、良好なラジアル効果を得るためにネジ止め方式が取られていた。
【考案の開示】
【考案が解決しようとする課題】
【０００３】
アンテナ基台の取り付けネジにより被取り付け部の塗装や表面処理を破壊するため、錆や腐食を発生させる原因となっていた。
【０００４】
アンテナ基台被取り付け部が絶縁物である場合は、別途ラジアル工事が必要である。
【課題を解決するための手段】
【０００５】
アンテナ基台の取り付けネジと同基台の被取り付け部の間に帯状で導体製のラジアル板を挿入し、基台とラジアル板の間を基台取り付けネジを介して導通させ、ラジアルとして動作する高周波回路を形成する。
【考案の効果】
【０００６】
アンテナ基台の取り付けネジを締め込むと、同ネジがラジアル板と導通してラジアル回路を得ることが出来る。
【０００７】
アンテナ基台取り付けネジが、ラジアル板を介して被取付け部に接することで、ネジと被取付け部の直接接触を防ぐことができる。
【考案を実施するための最良の形態】
【０００８】
アンテナ基台の取り付けにおいて、同基台取り付けネジと被取付け部の間に導体製のラジアル板を挿入する。同基台取り付けネジを締めこむことにより基台とラジアル板がネジを介して導通する。これにより同基台にラジアル効果を持った高周波回路が形成される。
【実施例】
【０００９】
以下、添付図面に従って本考案実施例を示す。
１はアンテナの取り付けに使用するアンテナ基台。２は前１の取り付けネジ。３は前１の被取付け部。４は前２と３の間に挿入して使用するラジアル板。
【図面の簡単な説明】
【００１０】
【図１】本考案の概念図である。
【図２】本考案の側面図である。
【符号の説明】
【００１１】
１  アンテナ基台
２  アンテナ基台取り付けネジ
３  基台被取り付け部
４  ラジアル板
【図１】
0003128285.tif 000003
【図２】
0003128285.tif 000004
【手続補正書】
【提出日】平成18年10月31日(2006.10.31)
【手続補正１】
【補正対象書類名】実用新案登録請求の範囲
【補正対象項目名】請求項１
【補正方法】変更
【補正の内容】
【請求項１】
取り付け部がクランプ方式によりネジ止めするアンテナ取り付け用のアンテナ基台において、同基台取り付け用固定ネジと被取り付け部の間に、一辺の長さが本件基台で使用するアンテナに給電する波長の四分の一波長以上の長さを有する帯状の形状を有する導電性の板を挿入し、同固定ネジで同時にネジ止めすることにより、本件基台と前導電性の板を高周波回路として結合させ、空中線回路にラジアル回路を付加させるという構造を有するラジアル板
(57)【要約】      （修正有）【課題】ビル火災における人命救助。【解決手段】本考案は、ビル最上部のレールに救命ロープを収納した鉄製ケースをリモコンで左右に移動させ、火災で逃げ遅れた人々が待つ階まで降下させることにより同時に数人を救助することが出来る。【選択図】図１
0003128255.tif 000002
【実用新案登録請求の範囲】
【請求項１】
本考案は、ビル火災で逃げ遅れた人を窓から救出することを目的とした装置である。ビルの最上部に強固なレールを設け、そのレールに設置した鉄の箱を遠隔リモートコントロールによって移動させる。被災者の待つ真上でそれを止め、鉄の箱の蓋を開けて何本もの救出ロープが先端に取り付けられた一本のロープを被災者の待つ窓まで降下させ、それを被災者自身が装着し地上まで被災者を降ろすことを特徴とする装置。
【考案の詳細な説明】
【技術分野】
【０００１】本考案は、救助用ロープをビルの最上部より降下させるものである。
【考案の開示】
【考案が解決しようとする課題】
【０００２】ビル火災における逃げ遅れた人を窓から救助することが出来る。
【課題を解決するための手段】
【０００３】本考案は、ビルの最上部にレールを設置し、救助用ロープを納めた鉄箱のケースを遠隔リモートコントローラーで左右に移動させるものである。
【考案の効果】
【０００４】上述の様に本考案は、被災者を速やかに救出することが出来る。
【考案を実施する為の最良の形態】
【０００５】救助用ロープを速やかに被災者の位置に移動させ、被災者自身がロープを身体に装着する。
【実施例】
【０００６】以下添付図面に従って説明する。図１の１は救命ロープ収納ケースが開いた状態。２は救命ロープ。３は鉄製フック。４はレール。図２は身体に救命ロープを装着した状態を示す。
【産業上の利用可能性】
【０００７】ビル火災において逃げ遅れた人がどうしようもなく飛び降り死亡する例が多数ある。それを解決するために本考案が威力を発揮する。
【図面の簡単な説明】
【０００８】
【図１】救命ロープ収納ケースが開き、ロープが垂れ下がった状態を示す。
【図２】被災者が身体に巻きつけた状態を示す。
【符号の説明】
【０００９】１  鉄製救命ロープ収納ケース
２  ロープ
３  鉄製フック
４  レール
【図１】
0003128255.tif 000003
【図２】
0003128255.tif 000004
【手続補正書】
【提出日】平成18年7月5日(2006.7.5)
【手続補正１】
【補正対象書類名】実用新案登録請求の範囲
【補正対象項目名】全文
【補正方法】変更
【補正の内容】
【実用新案登録請求の範囲】
【請求項１】
本考案は、ビル火災で逃げ遅れた人を窓から救出することを目的とした装置であり、ビルの最上部に強固なレールを設け、そのレールに設置した金属箱を遠隔リモートコントロールによって移動させ、被災者の待つ真上でそれを止め、金属箱を開けて何本もの救出ロープが先端に取り付けられた一本のロープを被災者の待つ窓まで降下させ、そのロープを被災者自身が装着し地上まで降ろすことを特徴とする装置。
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
ビル火災で逃げ遅れた人を窓から救出することを目的とした装置であり、ビルの最上部に強固なレールを設け、そのレールに設置した金属箱を遠離リモートコントロールによって移動させ、被災者の待つ真上で止め、金属箱を開けて何本もの救出ロープが先端に取り付けられた一本のロープを被災者の待つ窓まで降下させ、そのロープを被災者自身が装着し地上まで降ろすことを特徴とするビル火災の被災者救助装置。
(57)【要約】      （修正有）【課題】犬や猫用の着物の多くは人間の着物と同じく紐で留めたり、マジックテープを使用しているのも多々あるが見た目悪く着物の形になっておらず、実用性にも欠けている問題点を有していたが、これを改良して、本来の振袖の形に近く、機動性に優れた着物の提供。【解決手段】着物の前みごろは後ろ足の前でカットし、前みごろを合わせた位置にマジックテープ２を付ける。着物の後に取り付けた帯もマジックテープ４を付ける。振袖のたもとが地面や床等にすらないように着物本体に留める。【選択図】図１
0003128258.tif 000002
【実用新案登録請求の範囲】
【請求項１】
前みごろは後足の前でカットした着物
【請求項２】
前みごろを合わせた位置にマジックテープを付け腹の位置で留めた着物
【請求項３】
帯しんを入れた作り帯、又は帯しんを入れない作り帯を着物の後に取り付けた着物
【請求項４】
着物の後に取り付けた帯をマジックテープを付け腹の位置で留めた帯
【請求項５】
着物の振袖のたもとが地面や床等にすらないように振袖のたもとを着物に付ける
【考案の詳細な説明】
【技術分野】
【０００１】  本考案は、犬や猫の着物に作り帯を取り付け、振袖のたもとを着物に付けるものである。
【背景技術】
【０００２】  従来は、犬や猫の着物はあるけれど袖の部分が筒状で振袖とはいえない。
【考案の開示】
【考案が解決しようとする課題】
【０００３】  従来、犬や猫用の着物の多くは人間の着物と同じく紐で留めたり、マジックテープを使用しているのも多々あるが見た目悪く着物の形になっておらず、実用性にも欠けている問題点を有していたので、前述の欠点を解決しようとするものである。
【課題を解決するための手段】
【０００４】  本考案は、上記目的を達成するために着物の前みごろは後ろ足の前でカットし、前みごろを合わせた位置にマジックテープを付け腹の位置で留める。着物の後に取り付けた帯もマジックテープを付け腹の位置で留める。着物の振袖のたもとが地面や床等にすらないように振袖のたもとを着物本体に留めることにより問題点を解決している。
【考案の効果】
【０００５】  従来の犬や猫の着物よりも、より本来の振袖の形に近く機動性に優れている。
【考案を実施するための最良の形態】
【０００６】  着物の前みごろは後ろ足の前でカットして、着崩れを防ぐため前みごろを合わせた位置にマジックテープを付け腹の位置で留める。帯も同様に着崩れを防ぐために着物に取り付けた帯もマジックテープを付け腹の位置で留める。着物の振袖のたもとが地面や床等にすらないように振袖のたもとを着物本体に留めることで、本来の着物の形になる。
【実施例】
【０００７】  お正月、結婚式、お祝い事の時、礼服として振袖を着せることが出来、夏のお祭り事には、ゆかたを着せることが出来る。
【図面の簡単な説明】
【０００８】
【図１】本考案の着物の正面図である。
【図２】着物の背面図である。
【図３】着物の側面図である。
【符号の説明】
【０００９】１  前みごろのカット位置
２  着物を留めるマジックテープ
３  帯を着物に縫い付ける
４  帯を留めるマジックテープ
５  振袖のたもとを着物に留める
【図１】
0003128258.tif 000003
【図２】
0003128258.tif 000004
【図３】
0003128258.tif 000005
【手続補正書】
【提出日】平成18年7月20日(2006.7.20)
【手続補正１】
【補正対象書類名】実用新案登録請求の範囲
【補正対象項目名】全文
【補正方法】変更
【補正の内容】
【実用新案登録請求の範囲】
【請求項１】
前みごろは後足の前でカットし、前みごろを合わせた位置に面ファスナーを付け腹の位置で留める。着物の振袖のたもとが地面や床等にすらないように振袖のたもとを着物に縫い付けることを特徴とする請求項１記載の犬や猫に着せる着物、帯しんを入れた作り帯、又は帯しんを入れない作り帯を着物の後ろに取り付け、着物の後ろに取り付けた帯に面ファスナーを付け腹の位置で留めることを特徴とする請求項１記載の犬や猫に着せる帯。
【手続補正２】
【補正対象書類名】明細書
【補正対象項目名】０００３
【補正方法】変更
【補正の内容】
【０００３】  従来、犬や猫用の着物の多くは人間の着物と同じく紐で留めたり、面ファスナーを使用しているのも多々あるが見た目悪く着物の形になっておらず、実用性にも欠けている問題点を有していたので、前述の欠点を解決しようとするものである。
【手続補正３】
【補正対象書類名】明細書
【補正対象項目名】０００４
【補正方法】変更
【補正の内容】
【０００４】  本考案は、上記目的を達成するために着物の前みごろは後ろ足の前でカットし、前みごろを合わせた位置に面ファスナーを付け腹の位置で留める。着物の後ろに取り付けた帯も面ファスナーを付け腹の位置で留める。着物の振袖のたもとが地面や床等にすらないように振袖のたもとを着物本体に留めることにより問題点を解決している。
【手続補正４】
【補正対象書類名】明細書
【補正対象項目名】０００６
【補正方法】変更
【補正の内容】
【０００６】  着物の前みごろは後ろ足の前でカットして、着崩れを防ぐため前みごろを合わせた位置に面ファスナーを付け腹の位置で留める。帯も同様に着崩れを防ぐために着物に取り付けた帯も面ファスナーを付け腹の位置で留める。着物の振袖のたもとが地面や床等にすらないように振袖のたもとを着物本体に留めることで、本来の着物の形になる。
【手続補正５】
【補正対象書類名】明細書
【補正対象項目名】０００９
【補正方法】変更
【補正の内容】
【０００９】１  前みごろのカット位置
２  着物を留める面ファスナー
３  帯を着物に縫い付ける
４  帯を留める面ファスナー
５  振袖のたもとを着物に留める
【手続補正書】
【提出日】平成18年9月24日(2006.9.24)
【手続補正１】
【補正対象書類名】実用新案登録請求の範囲
【補正対象項目名】全文
【補正方法】変更
【補正の内容】
【実用新案登録請求の範囲】
【請求項１】
前みごろの丈の長さは後みごろの丈の長さより短く後ろ足の前までの長さとした犬や猫に着せる着物
【請求項２】
前みごろを重ね合わせた位置に面ファスナーを付け腹部の位置で留めることを特徴とする請求項１記載の犬や猫に着せる着物
【請求項３】
帯しんを入れた作り帯又は帯しんを入れない作り帯を着物の背面に取り付けることを特徴とする請求項１記載の犬や猫に着せる着物
【請求項４】
着物の背面に取り付けた帯を腹部の位置で重ね合わせた部分に面ファスナーを付け腹部の位置で留めることを特徴とする請求項１記載の犬や猫に着せる着物
【請求項５】
着物の振袖のたもとが地面や床等にすらないように振袖のたもとを着物又は着物のサイズによっては帯に留めることを特徴とする請求項１記載の犬や猫に着せる着物
(57)【要約】【課題】足のせ台の高さ調節に、台を重ねて行く方法だと、部品が多く必要であり、重く、取り扱いが不便である。【解決手段】１枚のさし込み板を、本体にさし込んだり、取り外すだけで、５段階の高さ調節が可能であり、部品を付け加えずに、この課題を解決する。【選択図】図１
0003128254.tif 000002
【実用新案登録請求の範囲】
【請求項１】
１枚の板を移動させることで、５段階の高さになる、足をのせる台。
【考案の詳細な説明】
【技術の分野】
【００１】  本考案は、１枚のさし込み板を、さし込んだり、取り外すことで、５段階の高さになる、足をのせる台である。
【背景技術】
【００２】  従来の、高さを調節できる足のせ台は、台を重ねていく方法である。
【考案が解決しようとする課題】
【００３】  従来の方法だと、高くするためには、台を重ねて行くものであり、台が多数必要であった。施設などで、複数の人が台を使う場合などには、相当数の台を用意しなければならず、重く、取り扱いに不便が生じる。本考案は、この欠点を取り除くためになされたものである。
【課題を解決するための手段】
【００４】  本考案は、１枚のさし込み板を、本体にさし込んだり、取り外すだけで、高さ調節が可能であり、部品を付け加える必要がない。
【考案の効果】
【００５】  本考案は、本体と１枚のさし込み板のみで、５段階の高さに変えられ、取り扱いが簡単である。
【考案を実施するための最良の形態】
【００６】  本考案に係る５段階足のせ台は、図１に示すように、１の面はやや傾斜してあり、最も低い台になる。第２段階は図２のさし込み板２を３の切り込みに挿入、第３段階は２を４の切り込みに挿入、第４段階は２を５の切り込みに挿入する。第５段階の高さは、本体を逆さにし、底面６を用いる。
【図面の簡単な説明】
【００７】
【図１】    本考案の５段階足のせ台の斜面図である。
【図２】    本考案のさし込み板である。
【図３】    本考案の側面図である。
【図４】    本考案の正面図である。
【図５】    本考案の底面図である。
【符号の説明】
【００８】    １      最も低い高さの足のせ台である。
２      さし込み板で、表面に弾力性のマットが貼ってある。
３      第２段階の高さの切り込み
４      第３段階の高さの切り込み
５      第４段階の高さの切り込み
６      第５段階の高さの足のせ台
７      滑り止めのゴム剤
【図１】
0003128254.tif 000003
【図２】
0003128254.tif 000004
【図３】
0003128254.tif 000005
【図４】
0003128254.tif 000006
【図５】
0003128254.tif 000007
【手続補正書】
【提出日】平成18年6月9日(2006.6.9)
【手続補正１】
【補正対象書類名】実用新案登録請求の範囲
【補正対象項目名】全文
【補正方法】変更
【補正の内容】
【実用新案登録請求の範囲】
【請求項１】
・２枚の垂直に立てた板の底部を、基板（６）の両端に固定する。  ・（６）より、やや離した位置に、もう一枚の板（１）を固定する。  ・両側の垂直の板に、さし込み板（２）を挿入するための、複数の切り込みを作る。              以上のごとく構成された、足をのせるための台。
【手続補正２】
【補正対象書類名】明細書
【補正対象項目名】全文
【補正方法】変更
【補正の内容】
【考案の詳細な説明】
【技術の分野】
【００１】  本考案は、１枚のさし込み板を、さし込んだり、取り外すことで、高さ調節が可能になる、足をのせる台である。
【背景技術】
【００２】  従来の、高さを調節できる足のせ台は、台を重ねていく方法である。
【考案が解決しようとする課題】
【００３】  従来の方法だと、高くするためには、台を重ねていくものであり、台が多数必要であった。施設などで、複数の人が台を使う場合には、相当数の台を用意しなければならず、重く、取り扱いに不便が生じる。本考案は、この欠点を取り除くためになされたものである。
【課題を解決するための手段】
【００４】  本考は、２枚の垂直に立てた板の底部を、基板（６）の両端に固定し、更に、（６）より少し離した位置に、もう一枚の板（１）を固定する。そして、垂直の両側の板に、さし込み板を挿入するための複数の切り込みを作る。
【考案の効果】
【００５】  本考案は、本体と、１枚のさし込み板の移動のみで、高さが変えられ、取り扱いが簡単である。
【考案を実施するための最良の形態】
【００６】  本考案に係る高さ調節式足のせ台は、図１に示すように、（１）の面は、最も低い台になる。第２段階からは図２のさし込み板（２）を、各切り込みに挿入する。本体を逆さにし、底面（６）を用いると、最も高い台になる。
【図面の簡単な説明】
【００７】
【図１】本考案の高さ調節式足のせ台の、例えば５段階にした場合の、斜面図である。
【図２】本考案のさし込み板である。
【図３】本考案の側面図である。
【図４】本考案の正面図である。
【図５】本考案の底面図である。
【符号の説明】
【００８】    １      最も低い高さの足のせ台    ２      さし込み板で、表面に弾力性のマットが貼ってある。    ３      第２段階の高さの切り込み    ４      第３段階の高さの切り込み    ５      第４段階の高さの切り込み    ６      最も高い位置の足のせ台    ７      滑り止め
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
（イ）２枚の垂直に立てた板の底部を、基板（６）の両端に固定する。
（ロ）基板（６）より、やや離した位置に、もう一枚の板（１）を固定する。
（ハ）両側の垂直の板に、さしこみ板（２）を挿入するための、複数の切込みを作る。
以上のごとく構成された、足を乗せるための台。
(57)【要約】      （修正有）【課題】一般に人が寝るベッドに関し、ナイトテーブルを使用時に、ヘッドボードから引きだし、使用しない時はヘッドボードに格納できることで利便性を高める。【解決手段】左右の９縦板と上下の８横板で構成された、折畳める１ナイトテーブル全体は、２Ｂヘッドボード後板と８横板を７スライドレールで連結させ、ヘッドボード内（２Ａヘッドボード前板、２Ｂヘッドボード後板）に格納させる。１ナイトテーブル使用時は４把手でナイトテーブル全体を引出す。また他の方法では、２Ａヘッドボード前板のみの場合、左右の９縦板と、上下の８横板で構成された折畳める１ナイトテーブル全体を、２Ａヘッドボード前板の背面と８横板を７スライドレールで連結させる。【選択図】図３
0003128259.tif 000002
【実用新案登録請求の範囲】
【請求項１】
２Ａヘッドボード前板と２Ｂヘッドボード後板の間に折畳める１ナイトテーブルを格納している事を特徴としたベッド。
【請求項２】
折畳める１ナイトテーブルが、２Ａヘッドボード前板の背面に、格納している事を特徴としたベッド。
【請求項３】
２Ｂヘッドボード後板と折畳める１ナイトテーブルを構成する８横板を伸縮する７スライドレールで連結させる事を特徴としたベッド。
【考案の詳細な説明】
【技術分野】
【０００１】一般に人が寝るベッドに関する考案である。
【背景技術】
【０００２】棚の無いベッドの側には、ナイトテーブルを置くことがあるが、使わない時は、邪魔になる傾向である。また棚のあるベッドでは、ヘッドボードの奥行きで、ベッドを置くスペースを狭めていた。
【考案の開示】
【考案が解決しようとする課題】
【０００２】一般に人が寝るベッドに関する考案である。ベッドは大きく分けて、棚のあるベッドと棚のないベッドとあるが、棚のないベッドは、物を置くスペースがない為、ナイトテーブルを置く要望が強かったが、住宅事情により部屋のスペースを考えると、ナイトテーブルは邪魔なため敬遠される傾向にあったことを解決することと。また現在ヘッドボードの厚みが薄く少スペースで置けるベッドが、主流となっているため、ナイトテーブルの付いたベッドを少スペースで置くことができ、ナイトテーブルを使用時には、ヘッドボードから引きだし、使用しない時はヘッドボードに格納できることで利便性を高めることにある。
【課題を解決するための手段】
【０００３】図３において、左右の９縦板と上下の８横板で構成された、折畳める１ナイトテーブル全体は、２Ｂヘッドボード後板と８横板を７スライドレールで連結させ、ヘッドボード内（２Ａヘッドボード前板、２Ｂヘッドボード後板）に格納させる。１ナイトテーブル使用時は４把手でナイトテーブル全体を引出す。また他の方法では、２Ａヘッドボード前板のみの場合、左右の９縦板と、上下の８横板で構成された折畳める１ナイトテーブル全体を、２Ａヘッドボード前板の背面と８横板を７スライドレールで連結させる。
【考案の効果】
【０００４】需要の多いヘッドボードの薄いベッドと、邪魔になる需要の少ないナイトテーブルを、兼ね備えれることにより、ナイトテーブルを使用しない時は、薄いヘッドボード内（２Ａヘッドボード前板と２Ｂヘッドボード後板）にナイトテーブルを折畳んで格納しておけるため、少スペースでベッドを置け、ナイトテーブルを使用する時のみ引出す事が出来ることで利便性が高くなった。（図１と図２参照）
【考案を実施するための最良の形態】
【０００５】考案の実施の形態に付いて図面を参照して説明する。
図１と図２を参照に説明すると本考案は２Ａヘッドボード前板と２Ｂヘッドボード後板の間に折畳める１ナイトテーブルを格納できる事を特徴としたベッドである。また折畳める１ナイトテーブルが、２Ａヘッドボード前板の後面に、格納している事を特徴としたベッドともいえる。図３を参照にナイトテーブル折畳み構造を説明する。左右の９縦板と上下の８横板で構成される１ナイトテーブル本体の９縦板中央部に１ナイトテーブルの回転軸を設け、９０度に折畳めることとする。ナイトテーブル使用状態での下方向の支えは、６補助棒により支えられる。６補助棒はナイトテーブルの左右両端に３蝶番により取付けられ、自在に動くものとする。【０００６】６補助棒の末端は左右の９縦板に設けた５補助溝をスライドできるよう構成して、１ナイトテーブルを折畳んだ状態では、６補助棒末端は５補助溝の上部にあり、ナイトテーブルを折出した状態では６補助棒末端が５補助溝下部に移動し止まることで、ナイトテーブルを支えることができる。図４と図５を参照に折畳んだ１ナイトテーブルをヘッドボードにスムーズに格納するには、２Ｂヘッドボード後板と折畳める１ナイトテーブルを構成する８横板を伸縮する７スライドレールで連結させる。詳しく説明すると、伸縮する７スライドレールを２Ｂヘッドボード後板に固定し、８横板に７スライドレール内を転がる１０ローラーをそれぞれ１１木ネジで固定する。
【実施例】
【０００７】１ナイトテーブル本体を構成する左右の９縦板と上下の８横板以外に構成方法は他にもあり、鉄パイプを折り曲げて、左右の９縦板と上下の８の代わりになものを作ることも可能である。また、７スライドレールを取付けない方法もあり、２Ａヘッドボード前板と２Ｂヘッドボード後板の間に格納された折畳める１ナイトテーブル本体が、独立して置けるものも考えられる。
【産業上の利用可能性】
【０００８】一般に人が寝るベッドにナイトテーブルか付属したものである。
【図面の簡単な説明】
【０００９】
【図１】ナイトテーブル使用状態
【図２】ナイトテーブル格納状態
【図３】ナイトテーブル折畳み構造
【図４】スライドレール取付け位置
【図５】図４の断面図  スライドレール取付け位置  断面Ａ
【図６】図５の拡大図  スライドレール取付け断面  拡大Ｂ
【符号の説明】
【００１０】１  ナイトテーブル
２Ａ  ヘッドボード前板
２Ｂ  ヘッドボード後板
３  蝶番
４  把手
５  補助溝
６  補助棒
７  スライドレール
８  横板
９  縦板
１０  回転ローラー
１１  木ネジ
１２  マット
【図１】
0003128259.tif 000003
【図２】
0003128259.tif 000004
【図３】
0003128259.tif 000005
【図４】
0003128259.tif 000006
【図５】
0003128259.tif 000007
【図６】
0003128259.tif 000008
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
ヘッドボード前板とヘッドボード後板の間に折畳めるナイトテーブルを格納している事を特徴としたベッド。
【請求項２】
折畳めるナイトテーブルが、ヘッドボード前板の背面に、格納している事を特徴としたベッド。
【請求項３】
ヘッドボード後板と折畳めるナイトテーブルを構成する横板を伸縮するスライドレールで連結させる事を特徴としたベッド。